(57)【要約】【課題】電子ペーパーや対応する製品毎の差異を吸収し、電子ペーパーを搭載した製品やシステムが汎用的に機能できる仕組みを実現する。【解決手段】画像形成システム１において、電子ペーパー４００は、該電子ペーパーへの読み出し・書き込みに必要な転送フォーマットや手順に関する情報を保持・提供するプロファイル情報提供手段２と、前記プロファイル情報の提供又は画像データの送受を行う通信手段６Ｂと、画像形成装置１００から送信された画像データを、表示に適合した形態に変換するフォーマット逆変換手段５と、制御手段２０Ｂとを有し、画像形成装置１００は、プロファイル情報を入手するプロファイル情報取得手段３と、通信手段６Ａと、電子ペーパーに表示しようとする画像データを、該電子ペーパーの書き込みに合致した転送フォーマットに変換するフォーマット変換手段４と、制御手段２０Ａを有している。【選択図】図４
2010117595.tif 000002
【特許請求の範囲】
【請求項１】
画像形成装置と、無給電で表示画像を保持可能で、前記画像形成装置から転送信される画像データに基づいて画像を表示する画像表示装置とで構成される画像形成システムにおける前記画像表示装置であって、
当該画像表示装置への読み出し・書き込みに必要な転送フォーマットや手順に関する情報を保持・提供するプロファイル情報提供手段と、
有線又は無線により、前記プロファイル情報の提供又は画像データの送受を行う通信手段と、
前記画像形成装置から送信された画像データを、表示に適合した形態に変換するフォーマット逆変換手段と、
前記画像形成装置からの要求に基づいて前記プロファイル情報を提供し、提供したプロファイル情報に基づいて前記画像データを表示に適合した形態に逆変換して画像表示するように制御する制御手段と、
を有することを特徴とする画像表示装置。
【請求項２】
画像形成装置と、無給電で表示画像を保持可能で、前記画像形成装置から転送される画像データに基づいて画像を表示する画像表示装置とで構成される画像形成システムにおける前記画像形成装置であって、
前記画像表示装置から提供される、当該画像表示装置への読み出し・書き込みに必要な転送フォーマットや手順に関するプロファイル情報を入手するプロファイル情報取得手段と、
前記画像データや前記プロファイル情報の送受を行う通信手段と、
取得した前記プロファイル情報から、前記画像表示装置に表示しようとする画像データを、当該画像表示装置の書き込みに合致した転送フォーマットに変換するフォーマット変換手段と、
前記画像表示装置への書き込みに先立ち、当該画像表示装置の書き込みに関するプロファイル情報を取得し、表示しようとする画像データを、当該画像表示装置の書き込みに合致した転送フォーマットに変換し、当該画像表示装置の書き込み手順に従った方法で書き込むように制御する制御手段と、
を有することを特徴とする画像形成装置。
【請求項３】
画像取り込み装置と、無給電で表示画像を保持可能で、前記画像取り込み装置から転送される画像データに基づいて画像を表示する画像表示装置とで構成される画像形成システムにおける前記画像取り込み装置であって、
前記画像表示装置から提供される、当該画像表示装置への読み出し・書き込みに必要な転送フォーマットや手順に関するプロファイル情報を入手するプロファイル情報取得手段と、
前記画像データや前記プロファイル情報の送受を行う通信手段と、
取得した前記プロファイル情報から、前記画像表示装置に表示しようとする画像データを、当該画像表示装置の書き込みに合致した転送フォーマットに変換するフォーマット変換手段と、
前記画像表示装置への書き込みに先立ち、当該画像表示装置の書き込みに関するプロファイル情報を取得し、出力しようとする画像データを、当該画像表示装置の書き込みに合致した転送フォーマットに変換し、当該画像表示装置の書き込み手順に従った方法で書き込むように制御する制御手段と、
を有することを特徴とする画像取り込み装置。
【請求項４】
請求項１記載の画像表示装置において、
任意の描画オブジェクトを自由に書いたり消したりできるユーザインターフェースとして機能する仮想書き込み手段と、
前記仮想書き込み手段によって書き込まれた描画オブジェクト、又は当該画像表示装置に表示された画像、又はそれらの合成画像を保持する画像データ保持手段と、
前記仮想書き込み手段によって書き込まれた描画オブジェクト、又は当該画像表示装置に表示された画像と前記描画オブジェクトが合成された画像データを前記転送フォーマットに変換するフォーマット変換手段と、
を有することを特徴とする画像表示装置。
【請求項５】
請求項２記載の画像形成装置において、
取得した前記画像表示装置のプロファイル情報と当該画像表示装置から転送されてきた画像データから、当該画像表示装置でハンドリングするのに適した画像フォーマットに変換するフォーマット逆変換手段と、
前記画像表示装置からの前記画像データの読み出しに先立ち、当該画像表示装置の読み出しに関するプロファイル情報を取得し、当該画像表示装置の読み出し手順に従った方法で前記画像データを読み出し、且つ、当該画像データを当該画像形成装置でハンドリングするのに適した画像フォーマットに逆変換するように制御する制御手段と、
を有することを特徴とする画像形成装置。
【請求項６】
請求項３記載の画像取り込み装置において、
取得した前記画像表示装置のプロファイル情報と当該画像表示装置から転送されてきた画像データから、当該画像表示装置でハンドリングするのに適した画像フォーマットに変換するフォーマット逆変換手段と、
前記画像表示装置からの前記画像データの読み出しに先立ち、当該画像表示装置の読み出しに関するプロファイル情報を取得し、当該画像表示装置の読み出し手順に従った方法で前記画像データを読み出し、且つ、当該画像データを当該画像取り込み装置でハンドリングするのに適した画像フォーマットに逆変換するように制御する制御手段と、
を有することを特徴とする画像取り込み装置。
【請求項７】
請求項１又は４記載の画像表示装置と、
請求項２又は５記載の画像形成装置、あるいは請求項３又は６記載の画像取り込み装置とから構成された画像形成システム。
【請求項８】
請求項７記載の画像形成システムにおいて、
前記画像表示装置の動作に必要な電気エネルギーを、前記画像形成装置又は前記画像取り込み装置から供給可能であることを特徴とする画像形成システム。
【請求項９】
請求項７又は８記載の画像形成システムにおいて、
前記画像表示装置が、電源を供給しなくても画像表示を維持できるメカニズムを有する電子ペーパー又はデジタルペーパーであることを特徴とする画像形成システム。
【請求項１０】
請求項７〜９のいずれかに記載の画像形成システムにおいて、
前記画像形成装置が孔版印刷装置であることを特徴とする画像形成システム。
【請求項１１】
請求項７〜９のいずれかに記載の画像形成システムにおいて、
前記画像取り込み装置が、エリアイメージセンサから画像を光学的に取り込む撮像手段と、前記取り込んだ光学画像を、光電変換工程により、デジタル画像データに変換する光電変換手段と、を備えたデジタルスチルカメラ、
もしくは、前記デジタルスチルカメラの機能を内包した携帯電話機又は携帯端末機であることを特徴とする画像形成システム。
【発明の詳細な説明】
【技術分野】
【０００１】
本発明は、複写システム等の画像形成システム、該画像形成システムを構成する画像表示装置、画像形成装置（デジタル孔版印刷装置、複写機、プリンタ、フアクシミリ、プロッタ、これらのうち少なくとも１つを含む複合機等）、画像取り込み装置（デジタルスチルカメラ等）に関する。
【背景技術】
【０００２】
書き込み時／消去時には電力を必要とするものの、無給電で表示画像を保持する、いわゆる電子ペーパーは、近年、マイクロカプセル、液晶、電子粉流体など種々の方式で実用化されており、電子ブック、電子新聞、商品のＰＯＰや値札、広告、ガイド（案内表示）などに利用され始めている。この種の従来技術としては、特許文献１記載のものが知られている。
従来、例えばＡ社のＡ−Ｐ１という製品に対応させた電子ペーパーＥＰ１は、Ｂ杜の電子ペーパーを使う製品Ｂ−Ｐｌには使えないことが多い。そればかりか、同じＡ杜のＡ−Ｐ２という電子ペーパーを使う製品でも、ＥＰ１は、Ａ−Ｐ２に対して使用できないなど、製品が異なるだけで互換性のないことがある。
これは、電子ペーパーを取り扱う際に、表示させる画像のフォーマットやアクセス・転送手順が統一化、基準化されておらず、電子ペーパーを使用する製品に自ずと特化されたものになってしまうためである。
【０００３】
特許文献１記載の従来技術では、電子ペーパーで保持するデータ形式を中間形式の形で保持している。この技術ではその目的が高速表示であるものの、中間形式の形で保持していることにより、電子ペーパーで中間形式のデータを解釈可能であれば、表示可能とされている。
【０００４】
【特許文献１】特開２００５−０９９４６０号公報
【発明の開示】
【発明が解決しようとする課題】
【０００５】
しかしながら、特許文献１に開示された方法では、電子ペーパーで表示できるのは、同一メーカー、正確には同一プリンタドライバを使用する場合に限られ、他杜あるいは異なるプリンタドライバを使用した場合、表示が不可能となる。
また、電子ペーパーをアクセスしようとする外部側から見た場合、そもそも電子ペーパーがどのような画像フォーマットをサポートしているのか、どの程度の表示能カ（表示サイズ、階調、カラー／モノクロなど）を有しているのか、アクセス・転送フォーマットはどうなっているのかなどが不明であり、また、それを知る術もなかった。
【０００６】
本発明は、上記のような現状を鑑みてなされたものであり、電子ペーパーの相互接続性を向上させる仕組みを提供することを目的としている。
より詳しくは、事前に電子ペーパーのプロファイル情報を取得し、当該電子ペーパーに適合したハンドリングを施すことによって、電子ペーパーや対応する製品毎の差異を吸収し、電子ペーパーを搭載した製品やシステムが汎用的に機能できる仕組みを提供することを目的としている。
さらに、画像形成装置や画像取り込み装置と、電子ペーパーとの双方向の画像データのやり取りを可能にすることにより、電子ペーパー上で加工された画像データを直接取り込むような、電子ペーパーを活用した画像形成装置または画像取り込み装置の利便性を向上させる仕組みを提供することを目的としている。
【課題を解決するための手段】
【０００７】
上記目的を達成するために、請求項１記載の発明では、画像形成装置と、無給電で表示画像を保持可能で、前記画像形成装置から転送信される画像データに基づいて画像を表示する画像表示装置とで構成される画像形成システムにおける前記画像表示装置であって、当該画像表示装置への読み出し・書き込みに必要な転送フォーマットや手順に関する情報を保持・提供するプロファイル情報提供手段と、有線又は無線により、前記プロファイル情報の提供又は画像データの送受を行う通信手段と、前記画像形成装置から送信された画像データを、表示に適合した形態に変換するフォーマット逆変換手段と、前記画像形成装置からの要求に基づいて前記プロファイル情報を提供し、提供したプロファイル情報に基づいて前記画像データを表示に適合した形態に逆変換して画像表示するように制御する制御手段と、を有することを特徴とする。
【０００８】
請求項２記載の発明では、画像形成装置と、無給電で表示画像を保持可能で、前記画像形成装置から転送される画像データに基づいて画像を表示する画像表示装置とで構成される画像形成システムにおける前記画像形成装置であって、前記画像表示装置から提供される、当該画像表示装置への読み出し・書き込みに必要な転送フォーマットや手順に関するプロファイル情報を入手するプロファイル情報取得手段と、前記画像データや前記プロファイル情報の送受を行う通信手段と、取得した前記プロファイル情報から、前記画像表示装置に表示しようとする画像データを、当該画像表示装置の書き込みに合致した転送フォーマットに変換するフォーマット変換手段と、前記画像表示装置への書き込みに先立ち、当該画像表示装置の書き込みに関するプロファイル情報を取得し、表示しようとする画像データを、当該画像表示装置の書き込みに合致した転送フォーマットに変換し、当該画像表示装置の書き込み手順に従った方法で書き込むように制御する制御手段と、を有することを特徴とする。
【０００９】
請求項３記載の発明では、画像取り込み装置と、無給電で表示画像を保持可能で、前記画像取り込み装置から転送される画像データに基づいて画像を表示する画像表示装置とで構成される画像形成システムにおける前記画像取り込み装置であって、前記画像表示装置から提供される、当該画像表示装置への読み出し・書き込みに必要な転送フォーマットや手順に関するプロファイル情報を入手するプロファイル情報取得手段と、前記画像データや前記プロファイル情報の送受を行う通信手段と、取得した前記プロファイル情報から、前記画像表示装置に表示しようとする画像データを、当該画像表示装置の書き込みに合致した転送フォーマットに変換するフォーマット変換手段と、前記画像表示装置への書き込みに先立ち、当該画像表示装置の書き込みに関するプロファイル情報を取得し、出力しようとする画像データを、当該画像表示装置の書き込みに合致した転送フォーマットに変換し、当該画像表示装置の書き込み手順に従った方法で書き込むように制御する制御手段と、を有することを特徴とする。
【００１０】
請求項４記載の発明では、請求項１記載の画像表示装置において、任意の描画オブジェクトを自由に書いたり消したりできるユーザインターフェースとして機能する仮想書き込み手段と、前記仮想書き込み手段によって書き込まれた描画オブジェクト、又は当該画像表示装置に表示された画像、又はそれらの合成画像を保持する画像データ保持手段と、前記仮想書き込み手段によって書き込まれた描画オブジェクト、又は当該画像表示装置に表示された画像と前記描画オブジェクトが合成された画像データを前記転送フォーマットに変換するフォーマット変換手段と、を有することを特徴とする。
【００１１】
請求項５記載の発明では、請求項２記載の画像形成装置において、取得した前記画像表示装置のプロファイル情報と当該画像表示装置から転送されてきた画像データから、当該画像表示装置でハンドリングするのに適した画像フォーマットに変換するフォーマット逆変換手段と、前記画像表示装置からの前記画像データの読み出しに先立ち、当該画像表示装置の読み出しに関するプロファイル情報を取得し、当該画像表示装置の読み出し手順に従った方法で前記画像データを読み出し、且つ、当該画像データを当該画像形成装置でハンドリングするのに適した画像フォーマットに逆変換するように制御する制御手段と、を有することを特徴とする。
【００１２】
請求項６記載の発明では、請求項３記載の画像取り込み装置において、取得した前記画像表示装置のプロファイル情報と当該画像表示装置から転送されてきた画像データから、当該画像表示装置でハンドリングするのに適した画像フォーマットに変換するフォーマット逆変換手段と、前記画像表示装置からの前記画像データの読み出しに先立ち、当該画像表示装置の読み出しに関するプロファイル情報を取得し、当該画像表示装置の読み出し手順に従った方法で前記画像データを読み出し、且つ、当該画像データを当該画像取り込み装置でハンドリングするのに適した画像フォーマットに逆変換するように制御する制御手段と、を有することを特徴とする。
【００１３】
請求項７記載の発明では、画像形成システムにおいて、請求項１又は４記載の画像表示装置と、請求項２又は５記載の画像形成装置、あるいは請求項３又は６記載の画像取り込み装置とから構成されたことを特徴とする。
請求項８記載の発明では、請求項７記載の画像形成システムにおいて、前記画像表示装置の動作に必要な電気エネルギーを、前記画像形成装置又は前記画像取り込み装置から供給可能であることを特徴とする。
請求項９記載の発明では、請求項７又は８記載の画像形成システムにおいて、前記画像表示装置が、電源を供給しなくても画像表示を維持できるメカニズムを有する電子ペーパー又はデジタルペーパーであることを特徴とする。
【００１４】
請求項１０記載の発明では、請求項７〜９のいずれかに記載の画像形成システムにおいて、前記画像形成装置が孔版印刷装置であることを特徴とする。
請求項１１記載の発明では、請求項７〜９のいずれかに記載の画像形成システムにおいて、前記画像取り込み装置が、エリアイメージセンサから画像を光学的に取り込む撮像手段と、前記取り込んだ光学画像を、光電変換工程により、デジタル画像データに変換する光電変換手段と、を備えたデジタルスチルカメラ、
もしくは、前記デジタルスチルカメラの機能を内包した携帯電話機又は携帯端末機であることを特徴とする。
【発明の効果】
【００１５】
本発明によれば、画像表示装置（電子ペーパー）や対応する製品毎の差異を吸収でき、電子ペーパーを搭載した製品やシステムの汎用的性を向上させることができる。
また、電子ペーパー上で加工された画像データを直接取り込むような、電子ペーパーを活用した画像形成装置または画像取り込み装置の利便性を向上させることができる。
【発明を実施するための最良の形態】
【００１６】
以下、本発明の実施形態を図を参照して説明する。
本発明に係る画像形成システムとしての印刷システム（以下、「複写システム」ともいう）は、画像形成装置の一形態であるデジタル式の孔版印刷装置を主要機器とするものである。
各実施形態で説明する複写システムに適用可能な画像形成装置としては、孔版印刷装置に限定されるものではなく、電子写真方式やインクジェット方式の画像形成装置も無論適用可能である。
【００１７】
図１〜図８に基づいて第１の実施形態を説明する。図１は、印刷システム１を構成する孔版印刷装置１００の基本構成を示している。
孔版印刷装置１００は、装置本体１００Ａの内部に、マスタ１０７が外周面に巻着される印刷ドラム１０１と、印圧手段としてのプレスローラ１０２と、製版装置としてのプロッタ１０３と、排版手段１０４とを備えている。
図中、装置本体１００Ａの右側に配置された給紙手段１０５から給紙される記録紙１０６をプレスローラ１０２で印刷ドラム１０１に押し当てることで、巻着されたマスタ１０７の画像を記録紙１０６に転写し、画像転写された記録紙１０６を搬送手段１０８で装置本体１００Ａの左側に配置された排紙手段１０９へと搬送する周知の構成である。
装置本体１００Ａの上部には、画像読取手段としてのスキャナ１１０が配置されていて、原稿画像を読み取り、製版に用いる画像データを取得している。装置本体１００Ａの上部正面には、孔版印刷装置１００の操作部としての操作パネル１１１が配設されている。
操作パネル１１１には、図２に示すように、印刷や製版の切り替えキー１１３、スタートキー１１４、表示部１１５、初期設定／プリンタ設定キー１１６、印刷位置調整キー１１７、プリントスピード設定キー１１８などが配備されている。
表示部１１５は、ＬＣＤのタッチパネルで構成されていて、その画面には、各種案内情報や各種操作画面が適宜表示され、装置使用者（ユーザ）によって操作されると、各画面に表示されたスイッチに対応した内容が図１に示す制御手段２０Ａや孔版印刷装置１００に設定される。
【００１８】
図１に示すように、装置本体１００Ａ内には、孔版印刷装置１００の各部を制御する制御手段２０Ａが配設されている。
制御手段２０Ａは、図３に示すように、実装基板となるＡＣＵ２００（Ａｐｐｌｉｃａｔｉｏｎ Ｃｏｎｔｒｏｌ Ｕｎｉｔ）と、ＥＣＵ３００（Ｅｎｇｉｎｅ Ｃｏｎｔｒｏｌ Ｕｎｉｔ）の二つに大きく分かれている。
ＡＣＵ２００は、孔版印刷装置の操作パネル（タッチパネル）１１１が接続される操作パネル用インターフェース２０５、携帯型大容量記憶装置であるＳＤメモリーカードやＵＳＢメモリなどが接続されるインターフェース（ＳＤＩ/Ｆ２０６、ＵＳＢＩ/Ｆ２０９Ａ、２０９Ｂ）、大容量記憶装置となるハードディスク（以下「ＨＤＤ」と称す）２０７が接続されるインターフェース２０８、パソコンなどの情報端末に対し、ＬＡＮやインターネットなどのネットワークを介してアクセスするためのネットワークインターフェースカード２０２や無縁ＬＡＮカードを接続するための通信インターフェース（ＮＩＣＩ/Ｆ２１２、無線ＬＡＮＩ/Ｆ２１４）、無給電方式の画像表示装置である電子ペーパー４００を接続するためのＩ／Ｏインターフェース２２１、ＥＣＵ３００側が接続されるＥＣＵインターフェース２１５と、中央演算回路としてのＣＰＵ２１６、記憶手段としてのＲＡＭ２１７とＲＯＭ２１８が、ＡＳＩＣ２２０（Ａｐｐｌｉｃａｔｉｏｎ Ｓｐｅｃｉｆｉｃ Ｉｎｔｅｇｒａｔｅｄ Ｃｉｒｃｕｉｔ）に接続されている。
無給電方式の画像表示装置である電子ペーパー又はデジタルペーパーの方式としては、マイクロカプセル方式、電子粉流体方式、液晶方式（コレステリック液晶等のメモリー性液晶）等がある。
【００１９】
ＡＣＵ２００は、孔版印刷装置の製版制御等を行い、スキャナ１１０あるいはＨＤＤに蓄積された蓄積文書あるいはネットワーク経由で投入された文書データから、最終的に製版データを作成したのち、ＥＣＵ３００に転送するという働きを受け持ち、本発明の機能は、主にこのＡＣＵ２００に属する。
ＥＣＵ３００は、中央演算回路としてのＣＰＵ３２１、記憶手段としてのＲＡＭ３２２とＲＯＭ３２３、ＡＣＵ２００が有するＥＣＵインターフェース２１５と接続されるＡＣＵインターフェース３２４、スキャナ１１０が接続されるスキャナインターフェース３２６、プロッタ１０３が接続されるプロッタインターフェース３２８が、それぞれＡＳＩＣ３２９に接続されている。
ＥＣＵ３００は、ＡＣＵ２００により作成された製版データを基に、プロッタ１０３により、周知の孔版原紙となる図示しないマスタの感熱孔版フィルムに、熱的プロセスによって穿孔を行うことにより、製版済みのマスタを作成し、この製版済みのマスタ１０７を印刷ドラム１０１としての版胴の外周面に巻装し、インキをドラム内部より供給しながら印刷ドラム１０１を回転させ、それに呼応させるように記録紙１０６を給紙することにより印刷成果物を得る、という一連のデジタル式の孔版印刷装置の製版から印刷に至る動作全般を制御するものである。
孔版印刷装置１００としては、片面印刷機や両面印刷機の何れであってもよい。
【００２０】
図４、図５に示すように、本実施形態の画像形成システム１は、画像形成装置（孔版印刷装置１００）において、電子ペーパー４００から提供されるプロファイル情報を入手するプロファイル情報取得手段３（ＡＣＵ上で動作するプログラム）と、前記プロファイル情報や画像データの送受などを行う通信手段６Ａ（ここではＩ／Ｏ Ｉ／Ｆ２２１）と、取得した電子ペーパーのプロファイル情報から、電子ペーパーに出カしようとする画像データを、当該電子ペーパーの書き込みに合致した転送フォーマットに変換するフォーマット変換手段４（ＡＣＵ上で動作するプログラム）と、電子ペーパーへの書き込みに先立ち、当該電子ペーパーの書き込みに関するプロファイル情報を取得し、出カしようとする画像データを、当該電子ペーパーの書き込みに合致した転送フォーマットに変換し、当該電子ペーパーの書き込み手順に従った方法で書き込むように制御する制御手段２０Ａ（ＡＣＵ上で動作するプログラム）とを備えている。
このほかにも、画像保持手段（メモリ）や画像形成手段（プロッタ、ドラム）、文書蓄積手段（ＨＤＤ）などを備えているが、本実施形態の主たる構成要件ではないもの、あるいは本発明に直接関係しないものについては適当に省略している。以下の他の実施形態についても同様である。
【００２１】
一方、無給電方式の画像表示装置としての電子ペーパー４００は、当該電子ペーパーへの読み出し・書き込みに必要な転送フォーマットや手順に関する情報を保持・提供するプロファイル情報提供手段２（保持はフラッシュＲＯＭ４０２、提供は電子ペーパー上で動作するプログラム）と、前記プロファイル情報の提供または画像データの送受などを行う通信手段６Ｂ（外部Ｉ／Ｆ４０７）と、画像形成装置から転送された画像データを、電子ペーパーの表示に適合した形態に変換するフォーマット逆変換手段５（電子ペーパー上で動作するプログラム）と、
画像形成装置からの問い合わせ（要求）により、当該電子ペーパーへの読み出し／書き込みに必要な転送フォーマットや手順に関する情報などのプロファイル情報を提供し、提供したプロファイル情報に基づいて画像形成装置が転送してきた画像データを、当該電子ペーパーの表示に適合した形態に逆変換し、転送された画像を表示するように制御する制御手段２０Ｂ（電子ペーパー上で動作するプログラムと、を備えている。
画像表示装置の通信手段６Ａは、電子ペーパーの動作に必要な電気エネルギーを供給する電気エネルギー供給手段７を備えており、これに対応して電子ペーパー４００の通信手段６Ｂは、電気エネルギー受給手段８を備えている。すなわち、通信手段６を形成する通信線の何本かは、電源供給／受給用のパワーラインを含んでいる。
【００２２】
図６は、プロファイル情報と転送フレームのフオーマットの説明図である。プロファイル情報は、電子ペーパー自身の情報と転送データフレームのフォーマットに関する情報が、混在して記述されたものとなっている。
電子ペーパーと孔版印刷装置でやり取りを行う転送用データフレームの最初の１バイトはコマンドになっており、ここに、孔版印刷装置がデータフレームの先頭に、ｇｅｔ_ｐｒｏｆｉｌｅ（０ｘ０１）コマンドを書き込んで、電子ペーパーに送信すると、電子ペーパーは、図６左側に示すようなプロファイル情報を送ってくる。なお、本実施形態では、ＸＭＬ形式でプロファイル情報を保持している。
このプロファイル情報をもとに、孔版印刷装置は、電子ペーパーに表示させる画像データを転送フォーマットに変換して電子ペーパーに送信する。データフレームは、大きく分けて、コマンド、ヘッダ、イメージ、フッタの４つのフィールドより成る。コマンドフィールドは、文字通りコマンドを設定するもので、プロファイル情報を取り出すためのコマンド、電子ペーパーに画像を書き込んだり、電子ペーパーから画像を読込むためのコマンドなどが用意されている。
【００２３】
各フィールドには、＜ｎａｍｅ＞、＜ｓｉｚｅ＞、＜ｖａｌ＞などというタグがあるが、これは、各々“フィールド名”あるいは“サブフィールド名”、“当該フィールドのサイズ”、“デフォルト値”あるいは“規定値”あるいは“設定値”などを示している。
例えば、コマンドフィールドについて見てみると、フィールド名が“ｃｏｍｍａｎｄ”で、このｃｏｍｍａｎｄフィールドのサイズは１バイト、デフォルト値は“０ｘ０１（プロファイル情報の取得）”を意味している。
また、＜ｌｉｓｔ＞タグには、当該フィールドの取りうる種別＜ｋｉｎｄ＞とその値＜ｖａｌ＞が列記されている。例えば、プロファイル情報を取得した後、電子ペーパーに画像を書き込むには、このｃｏｍｍａｎｄフィールドに、ｗｒｉｔｅ_ｉｍａｇｅ（０ｘ０４）を設定して、送信することになる。
次のヘッダフィールドは、フィールド名が“ｈｅａｄｅｒ”で、＜ｖａｌ＞タグには、“０ｘ１０（１０進数で１６）”が設定されている。これは、ヘッダのサイズが全体で１６バイトであることを示している。そして、このヘッダ部分には、データをやり取りする際に必要な、エンディアンや符号化に関する情報がサブフィールド“ｓｕｂ_ｆｉｅ１ｄ”として定義されている。
なお、フィールドごとに＜ｓｉｚｅ＞タグを設けているのは、当該フィールドと次のフィールドの区切りを区別できるようにするためである。
【００２４】
電子ペーパーと画像データのやりとりを行う場合に、最も重要となってくるのが画像自体に関するものであり、これはイメージフィールドに定義される。
電子ペーパーに対して、プロファイル情報を要求すると、“ｉｍａｇｅ”フィールドのサブフィールド“ｘ_ｐｉｘｅｌｓ”、“ｙ_ｐｉｘｅｌｓ”、“ｂｉｔ_ｐｅｒ_ｐｉｘｅｌ”、“ｉｍａｇｅ_ｆｏｒｍａｔ”には、各々“最大主走査方向画素数”、“最大副走査方向画素数”、“１画素当りの階調”、“画像フォーマット”が設定されてくる。これにより、孔版印刷装置は、電子ペーパーに表示させる画像を、前記プロファイル情報を基に修正／変更をかけて送ることができる。
例えば、電子ペーパーに表示させたい画像（原画像）が、電子ペーパーの最大表示サイズ０ｘ４００（１０２４）×０ｘ３００（７６８）よりも大きい場合、孔版印刷装置では、リサイズをかけて、最大表示サイズ以下に収まるようにする。
そして、“ｘ_ｐｉｘｅｌｓ”や“ｙ_ｐｉｘｅｌｓ”の“ｖａｌ”には、リサイズ後の値を設定して、送信することになる。
【００２５】
また、電子ペーパーのカラー／モノクロや階調などの表示能力についても同様であり、孔版印刷装置で表示させようとしている画像がフルカラーであるのに対し、電子ペーパーではモノクロ２５６階調しか対応していない場合、孔版印刷装置側でフルカラー_＞モノクロ変換をした上で送信することになる。
本実施形態では、“ｂｉｔｓ_ｐｅｒ_ｐｉｘｅｌ”タグの値が２４であり、これはフルカラー対応していることを意味する。
しかしながら、現状の孔版印刷装置の画像形成能カは、モノクロ２値であることが多いため、実際には、“ｂｉｔｓ_ｐｅｒ_ｐｉｘｅｌ”の値を８あるいは１にデグレードして指定することになる。
サブフィールド“ｉｍａｇｅ_ｆｏｒｍａｔ”は、“ｉｍａｇｅ_ｓｉｚｅ”後に続く画像データ（電子ペーパーとやり取りする画像）がどのようなものであるかを示している。＜ｌｉｓｔ＞タグをみると、本実施形態では、ＪＰＥＧとＴＩＦＦがエントリされており、この電子ペーパーでは、前述の２つのフォーマットをハンドリングできることを示している。一般的に規格化されたもしくは標準化された形式を使う場合、この部分を参照するだけでよいが、メーカー独自、あるいは、特殊な画像フォーマットを使用する場合、その画像フォーマットについての記述がさらに続くことになる。このような構造をとることによって、一般的でない画像フォーマットでも対応できるというメリットが生ずる。
最後に、フッタフィールドが付加され、ここにはデータフレームのフレームチェックデータなどが含まれる。
【００２６】
以上のように、プロファイル情報を参照することよって、転送フォーマットに則ったデータフレームの生成あるいは、転送データフレームの解析が可能になる。
なお、本実施形態では、前述のようなプロファイル情報と転送データフレームのフォーマット（書式）の例を挙げているが、これに限定されることはなく、要は、プロファイル情報を参照することによって、転送フォーマットに則ったデータフレームが生成でき、また逆に、ある転送フォーマットに則って生成されたデータフレームを、プロファイル情報を参照することによってハンドリングでき、それによって必要なデータを抽出できるのであれば、他の書式や構成によってもよい。
上記画像形成システムの制御の詳細について、図７の流れ図と図８のデータの流れ図を使用して説明する。
操作者が電子ペーパーを孔版印刷装置に接続すると（ＳＴ１）、孔版印刷装置はそれを検知し（ＳＴ２）、電子ペーパーに、アクセスのためのプロファイル情報を要求する（ＳＴ３）。
電子ペーパーは、孔版印刷装置からのプロファイル情報要求を受け取ると（ＳＴ４）、自らをアクセスするための手順、画像サイズ、表示階調、ページ容量、画像転送フォーマットなどに関する情報を、孔版印刷装置に提供する（ＳＴ５）。
孔版印刷装置は、送られてきたプロファイル情報を受け取ることにより（ＳＴ６）、以後電子ペーパーへの読み書きのアクセスが可能となる。
【００２７】
ここにおいて、例えば、操作者が原稿をスキャナから読込ませ、試し刷りとして電子ペーパーへの出力を試みたとする。
孔版印刷装置の制御手段２０Ａは、操作者の試し刷り印刷のボタン操作等を受けて（ＳＴ７）、スキャンした画像データを電子ペーパーに転送するために、先ほど取得したプロファイル情報に基づき、画像データを転送用のデータフレームヘフォーマット変換を行う（ＳＴ８）。
電子ペーパーに転送する準備ができたら、送信要求を行い（ＳＴ９）、続いて、生成した転送用データフレームを電子ペーパーに送信する（ＳＴ１１）。
一方、電子ペーパーは、送られてきた転送用データフレームを受信し（ＳＴ１２）、受信完了の応答をする（ＳＴ１３）。また、受信したデータフレームを解析し（ＳＴ１５）、正常に解析できたならば（ＳＴ１６）、フォーマット逆変換した後（ＳＴ１７）、電子ペーパーで表示させる（ＳＴ１８）。
【００２８】
しかしながら、もし解析エラーが生じた場合（ＳＴ１６）、電子ペーパーにその旨の表示を行う（ＳＴ１９）。ここでは、変換−逆変換という語彙を使っているが、これは孔版印刷装置で使われている画像フォーマットと、電子ペーパーで使われている画像フォーマットが、必ずしも同じであることを意味しない。すなわち、本来、孔版印刷装置または電子ペーパーが、ネイティブで使う画像データに変換することを“逆変換”、転送のために必要なフォーマット（転送用データフレーム）に変えることを“変換”と呼称している。
また、本実施形態では、電子ペーパー専用のインターフェースを介して、電子ペーパー−孔版印刷装置間のやり取りを行っているが、プロファイル情報の提供／取得と画像の読み書きができるような仕組みを整えられれば、ＵＳＢ、ＩＥＥＥ１３９４、ＲＳ−２３２Ｃなどの汎用インターフェースを利用するような形態としてもよい。
【００２９】
このような仕組みを適用することにより、画像形成装置と電子ペーパー間でのマッチングをとりながら使用するため、種々の画像形成装置−種々の電子ペーパーの間で、相互接続性が向上した使用が可能となる。
本実施形態では、画像形成装置として電子ペーパーへの出力が可能な孔版印刷装置を採用している。これは、複製部数が１０部以下などの少数印刷や配布を目的とせず回収が前提であるような使用の場合、無給電画像表示装置（電子ペーパー）へ出力し、特定／不特定多数への配布の場合、紙に印刷するというような、印刷と目的に応じて、画像出力させることができるためである。
しかしながら、本発明は、複写機やＭＦＰなどにも適用可能であり、本実施形態に限定されるものではない。
【００３０】
次に、図９〜図１２に基づいて第２の実施形態を説明する。なお、上記実施形態と同一または同様の部分は同一符号で示し、特に必要がない限り既にした構成上及び機能上の説明は省略して要部のみ説明する（以下の他の実施形態において同じである）。
図９、図１０に示すように、本実施形態の画像形成システム１Ａは、第１の実施形態に加え、さらに、電子ペーパー４００において、あたかも電子ペーパー上に、任意の文字・図形などの描画オブジェクトを自由に書いたり消したりできるようなユーザインターフェースを提供する仮想書き込み手段１０（ペン入カシステム）と、仮想書き込み手段１０によって書き込まれた描画オブジェクト、または、電子ペーパーに表示された画像、または、それらの合成画像を保持する画像データ保持手段９（フラッシュＲＯＭ４０２）と、仮想書き込み手段１０によって書き込まれた描画オブジェクト、または、電子ペーパーに表示された画像と前記描画オブジェクトが合成された画像データを前記転送フォーマットに変換するフォーマット変換手段４（電子ペーパー上で動作するプログラム）と、を有している。
【００３１】
一方、画像形成装置（孔版印刷装置１００）においては、取得した電子ペーパーのプロファイル情報と電子ペーパーから転送されてきた画像データから、当該画像形成装置でハンドリングするのに適した画像フォーマットに変換するフォーマット逆変換手段５（ＡＣＵ上で動作するプログラム）と、電子ペーパーからの前記画像データの読み出しに先立ち、当該電子ペーパーの読み出しに関するプロファイル情報を取得し、電子ペーパーの読み出し手順に従った方法で画像データを読み出し、電子ペーパーから転送されてきた画像データを、当該画像形成装置でハンドリングするのに適した画像フォーマットに逆変換するように制御する制御手段２０Ａ（ＡＣＵ上で動作するプログラム）と、を有している。
操作者が電子ペーパーを孔版印刷装置に接続し、孔版印刷装置から画像データが送られ、電子ペーパーで表示されるまでは、第１の実施形態の図７の流れ図と同様であるので、説明を省略する。
従って、それ以後の画像形成システムの制御の詳細について、図１１の流れ図と図１２のデータの流れ図を使用して説明する。
【００３２】
電子ペーパーに画像が表示された後、操作者がペン入カシステム（仮想書き込み手段１０）により書き込みを行った場合（ＳＴ１）、書き込まれた文字や図形などの描画オブジェクトがメモリに保持される（ＳＴ２）。
さらに、操作者により、合成操作の指示がなされると（ＳＴ３）、現在電子ペーパーに表示されている画像と合成された画像が保持される（ＳＴ４）。ここにおいて、操作者が、現在電子ペーパーに表示されている画像（元の画像と書き込みされた描画オブジェクトが合成された画像）を孔版印刷装置に取り込むため、孔版印刷装置において、画像取り込み操作（画像転送操作）を行うと（ＳＴ５）、孔版印刷装置から電子ペーパーに、画像データ受信要求がなされる（ＳＴ６）。
これを受けて（ＳＴ７）、電子ペーパーは、現在表示している画像とペン入カで書き込まれた描画オブジェクトが合成された画像を、自らのプロファイル情報に基づきフォーマット変換を行い（ＳＴ８）、孔版印刷装置へ送信する（ＳＴ９）。
孔版印刷装置は、送られてきたデータフレームを受信し（ＳＴ１０）、受信完了の応答をする（ＳＴ１ｌ）。
さらに、孔版印刷装置は、受信したデータフレームを、フォーマット逆変換した後（ＳＴ１３）、画像データを孔版印刷装置内のメモリに保持する（ＳＴ１４）。この後、操作者が製版・印刷を指示すると（ＳＴ１５）、孔版印刷装置は、当該画像データの製版・印刷を行うが（ＳＴ１６）、これらについては、従来周知の工程と同様であるため、説明を省路する。
【００３３】
本実施形態では、データフレーム解析時の異常処理については、第１の実施形態と同様なので、表記を省略している。
このような仕組みを適用することにより、画像形成装置と電子ペーパー間でのマッチングをとりながら使用するため、種々の画像形成装置−種々の電子ペーパーの間で、相互接続性が向上した使用が可能となる。
また、ペン入カシステムが可能な電子ペーパーを使用することにより、電子ペーパーに表示する画像データと書き込まれた描画オブジェクトをハンドリングでき、紙と同様の扱いが可能となる。
従来であれば、ホストコンピュータ上で、画像編集ソフトを稼動させて、描画オブジェクトを書き加えるなどの処理が必要であったが、そのような装備も処理も不要となる。
さらに、画像形成装置と電子ペーパーの双方向の画像データのやり取りを可能にすることにより、前記電子ペーパーの加工された画像データを直接取り込めることになり、電子ペーパーを使用した画像形成装置の利便性をさらに向上させることができる。
【００３４】
次に、図１３〜図１５に基づいて第３の実施形態を説明する。
図１３に示すように、本実施形態の画像形成システム１Ｂは、第２の実施形態に加え、画像取り込み装置として、デジタルスチルカメラ５００が、構成要素に加えられている。
デジタルスチルカメラ５００には、通常具備されている、撮像手段や光電変換手段、画像データ保持手段などに加えて、前記電子ペーパーから提供されるプロファイル情報を入手するプロファイル情報取得手段３（デジタルスチルカメラ上で動作するプログラム）と、前記プロファイル情報や画像データの送受などを行う通信手段６Ｃ（外部Ｉ／Ｆ）と、取得した電子ペーパーのプロファイル情報から、電子ペーパーに出カしようとする画像データを、当該電子ペーパーの書き込みに合致した転送フォーマットに変換するフォーマット変換手段４（デジタルスチルカメラ上で動作するプログラム）と、取得した電子ペーパーのプロファイル情報と電子ペーパーから転送されてきた画像データから、当該デジタルスチルカメラでハンドリングするのに適した画像フォーマットに変換するフォーマット逆変換手段５（デジタルスチルカメラ上で動作するプログラム）と、電子ペーパーへの書き込みに先立ち、当該電子ペーパーの書き込みに関するプロファイル情報を取得し、出力しようとする画像データを、当該電子ペーパーの書き込みに合致した転送フォーマットに変換し、当該電子ペーパーの書き込み手順に従った方法で書き込むように制御する、または、電子ペーパーからの前記画像データの読み出しに先立ち、当該電子ペーパーの読み出しに関するプロファイル情報を取得し、当該電子ペーパーの読み出し手順に従った方法で画像データを読み出し、電子ペーパーから転送されてきた画像データを、当該デジタルスチルカメラでハンドリングするのに適した画像フォーマットに逆変換するよう制御する、制御手段２０Ｃ（デジタルスチルカメラ上で動作するプログラム）とを有している。
【００３５】
操作者が、デジタルスチルカメラ５００で撮影した画像を電子ペーパーに表示し、その電子ペーパーに表示された画像に、ペン入力で手書きメッセージを書き加え、さらに、前記メッセージが書き加えられた画像を孔版印刷装置に取り込むという一連の動作や制御を図１４〜図１５に基づいて説明する。
操作者が、電子ペーパーをデジタルスチルカメラ５００に接続し、デジタルスチルカメラから画像データが送られ、電子ペーパーで表示されるまでの流れを図１４に示す。
基本的にこれは第１の実施形態の図７の流れ図において、孔版印刷装置がデジタルスチルカメラと置き換わったものと同様であるので、説明を省略する。
ちなみに、図１５には、電子ペーパーに転送する画像として、撮像した画像そのものではなく、さらにデジタルスチルカメラ内に保存されているテンプレート画像と合成した画像を転送している。
さらに、操作者が電子ペーパーにメッセージの書込みを行い、デジタルスチルカメラに接続していた電子ペーパーを孔版印刷装置に繋ぎ変えて、前記メッセージが書き加えられた画像を孔版印刷装置に取り込むまでの流れは、第２の実施形態の図１１に示したものと同様であるので、図示と説明を省路する。
また、すでに孔版印刷装置に取り込まれた画像データを、製版・印刷するような場合については、従来周知の工程と同様であるため、説明を省路する。
【００３６】
このように、プロファイル情報の提供／取得及び画像データのやり取りの手段を備えていれば、孔版印刷装置であろうとデジタルスチルカメラであろうと、基本的に、共通の方法によって制御することができるため、柔軟性に優れたメカニズムとなっている。
なお、本実施形態では、メッセージを書き込んだ画像データを孔版印刷装置に取り込んでいるが、デジタルスチルカメラ５００にもフォーマット逆変換手段を備えているため、メッセージ書き込み画像を再びデジタルスチルカメラに取り込むこともでき、データフローは、本実施形態に限定されるものではない。これもまた、本発明の柔軟性の一例を示すものである。
このような仕組みを適用することにより、画像形成装置だけでなく、画像取り込み装置と電子ペーパー間でもマッチングをとりながら使用するため、種々の画像取り込み装置−種々の電子ペーパーの間で、相互接続性が向上した使用が可能となる。
【００３７】
また、ペン入カシステムが可能な電子ペーパーを使用することにより、電子ペーパーに表示する画像データと書き込まれた描画オブジェクトをハンドリングでき、紙と同様の扱いが可能となる。
従来であれば、ホストコンピュータ上で、画像編集ソフトを稼動させて、描画オブジェクトを書き加えるなどの処理が必要であったが、それも不要となる。
さらに、従来であれば、デジタルスチルカメラに搭載されているＬＣＤから編集するものが提案されているが、この場合、ＬＣＤの画面は、デジタルスチルカメラ本体より小さいサイズものがほとんどであり、表示画像そのものが小さい上に、さらにその上で編集や書き込み操作を行うという、視認性や操作性に難があるものであった。
しかしながら、本実施形態によれば、サイズがＢ５、Ａ４といった大サイズの電子ペーパーに出カすることにより、その視認性が改善される。また、手書きメッセージ入カなども前記サイズにて行えるため、実際に同サイズ紙に書き込むのと同じ感覚で行うことができ、操作性にも優れている。
さらに、画像取り込み装置と電子ペーパーの双方向の画像データのやり取りを可能にすることにより、前記電子ペーパーの加工された画像データを直接取り込めることになり、電子ペーパーを使用した画像取り込み装置の利便性をさらに向上させることができる。
なお、本実施形態では、画像取り込み装置として、単体のデジタルスチルカメラを適用した例を示しているが、デジタルスチルカメラ付き携帯電話や携帯端末でも適用可能であり、本実施形態に限定されるものではない。
【００３８】
次に、図１６〜図１９に基づいて第４の実施形態を説明する。
本実施形態の孔版印刷装置１Ｃを図１６に示すが、これは、第２の実施形態の図９で示したものに、電子ペーパー上で、特定領域に特定ワードや属性データなどの特定情報が書き込まれて、元の画像と合成されて転送されてきた転送画像データから、前記特定情報を抽出する特定情報抽出手段（ＡＣＵ上で動作するプログラム）と、前記抽出された特定ワードや属性データが書き込まれている特定領域のすべてもしくはその一部に対して、該当箇所の消去処理やマスク処理などを行う画像加工手段（ＡＣＵ上で動作するプログラム）と、前記画像データまたは画像加工処理された画像データを、孔版印刷装置内に蓄積文書として保存する文書蓄積手段（ＨＤＤ）と、前記画像データまたは画像加工処理された画像データを、孔版印刷装置内に蓄積文書として保存する場合に、前記転送画像データから抽出した特定情報を、蓄積文書を管理するための管理データとして使用する文書蓄積設定手段（ＡＣＵ上で動作するプログラム、ここではタッチパネル）と、を有している。
【００３９】
一方、本実施形態の電子ペーパーは、ペン入力を具備した第２の実施形態の図１０で示したものと同様なので、説明を省略する。
なお、画像データ（文書データ）の文書蓄積のしくみや流れについては、特開２００８−１２３０２号公報に記載のものと同様であるので説明を省略する。
基本的な制御の流れを図１７に示す。これは第２の実施形態と同様であるが、画像データ保持（ＳＴ１４）以降が異なる。また、図１８の例に示すように、電子ペーパーに書き込まれる描画オブジェクトが、特定領域（本実施形態ではフッタ部分）に書き込まれる特定ワードと属性データである点が異なっている。
本実施形態では、特定ワードとして抽出する単語は、
「文書名」「ファイル名」「文書」「ファイル」「ｆｉｌｅ」、
「ユーザ名」「氏名」「名前」「ユーザ」「ｎａｍｅ」、
「パスワード」「ｐａｓｓｗｏｒｄ」、
「機密区分」「機密レベル」「社外秘」「部外秘」、
「期限」「時限」「ｅｘｐｉｒｅ」
などである。同じカテゴリに属するいくつかの侯補があるのは、カテゴリごとに１つだけしか特定ワードを認めないと、ユーザは、厳密にそれらを記憶しなければならず、使い勝手が悪いものになってしまうためである。
本実施形態では、電子ペーパー上で書き込まれた特定情報は、以下のようになっている（図１８）。
＜特定ワード＞＜属性データ＞
文書            製品ＡＢＣ
名前            山田
パスワード      ｘｙｚ
期限            １０／１８
【００４０】
このように、元の画像と書き込まれた特定情報を合成した画像データ（ＳＴ４）は、プロファイル情報に則った転送データフレームに変換され（ＳＴ８）、孔版印刷装置に転送される（ＳＴ９）。
孔版印刷装置では、送信された転送データフレームを受け取り（ＳＴ１０）、逆変換することにより（ＳＴ１３）、電子ペーパー上で生成された合成画像データと等価な画像データ（文書データ）を得る（ＳＴ１４）。
さらに、この文書データを蓄積文書として蓄積する時、孔版印刷装置は、特定領域から、画像として埋め込まれた特定情報を抽出する（ＳＴ１５、ＳＴ１６）。抽出した特定情報は、蓄積文書の管理データとして使用する（ＳＴ１８）。
図１９は、前述の特定情報が管理データとして取り込まれ、孔版印刷装置の操作パネル（タッチパネル）の登録設定画面に表示された時の一例を示している。
このような仕組みを取り入れることにより、蓄積文書の管理の効率化を図ることができる。
【００４１】
一方、文書データに前記特定情報、特にセキュリティに関するものが、そのまま残っていたのでは機密上よくない。そのため、抽出された特定ワードと属性データのうち、本実施形態では、パスワードや機密期限などセキュリティに関するものは、文書データから抹消する画像加工処理を施す（ＳＴ１７）。
従って、画像的に、蓄積文書として登録されるのは、セキュリティ情報の書込み部分が抹消された文書データとなる。
文書蓄積せず、そのままプリントアウトする場合も、前記特定情報抽出を行い、セキュリティに関する書き込み部分を文書データから抹消している。これも前述の理由による。
また、本実施形態では、特定情報抽出において、「社外秘」、「部外秘」などのセキュリティに関する特定ワードが抽出されながら、「パスワード」などのその実行手段となる特定ワードが検出されなかった場合、文書を蓄積する段階で、図示しないタッチパネル画面により、パスワードの入力が促される。
本実施形態では、特定領域を、俗にフッタ部分と呼ばれる文書の最下部としているが、ヘッダ部分と呼ばれる文書の最上部であっても、また特段に定められた別の領域であってもよく、本実施形態に限定されるものではない。
【００４２】
また、本実施形態では、前述のような特定ワードを抽出対象としているが、当然これ以外のものであっても構わない。
さらに、本実施形態では、書き込まれた特定情報は、電子ペーパー上では画像データの一部として扱われ、特定情報抽出やその解釈は孔版印刷装置上で行われているが、前記抽出や解釈を電子ペーパー上で行い、解釈した特定情報データを、画像データとしてではなく、転送データフレームの一フイールド内に収めて、孔版印刷装置に転送してもよい。
但し、この場合、画像データからの抽出や解釈の処理を電子ペーパーが負担するため、ソフトウェア実装から見れば、かなり重いものになってしまう。従って、書き込む時点で、文字認識技術などを併用し、テキストデータとして変換してしまい、その後は、転送データフレームの一フィールド内に収めて、孔版印刷装置に転送する方法が有望と考えられる。
このような仕組みを適用することにより、画像形成装置と電子ペーパー間でもマッチングをとりながら使用するため、種々の画像形成装置−種々の電子ペーパーの間で、相互接続性が向上した使用が可能となる。
【００４３】
さらに、画像形成装置と電子ペーパーの双方向の画像データのやり取りを可能にすることにより、前記電子ペーパーの加工された画像データを直接取り込めることになり、電子ペーパーを使用した画像形成装置の利便性をさらに向上させることができる。
また、ペン入カシステムが可能な電子ペーパーを使用することにより、電子ペーパーに表示する画像データと書き込まれた描画オブジェクトをハンドリングでき、紙と同様の扱いが可能となる。
従来であれば、ホストコンピュータ上で、画像編集ソフトを稼動させて、描画オブジェクトを書き加えるなどの処理が必要であったが、それも不要となる。
さらに、前記ペン入カによる書き込み情報を、画像形成装置で利用できる形態とした場合、電子ペーパーを使用した画像形成装置の利便性をさらに向上させることができる。
【図面の簡単な説明】
【００４４】
【図１】本発明の第１の実施形態に係る画像形成システムとしての印刷システムにおける画像形成装置（孔版印刷装置）の概要構成図である。
【図２】孔版印刷装置の操作パネルの平面図である。
【図３】孔版印刷装置制御部のハードウェア（電装基板）構成の一例を示す概略図である。
【図４】画像形成システムの構成を示すブロック図である。
【図５】電子ペーパーの構成の一例を示す概略図である。
【図６】プロファイル情報と転送フレームフオーマットとの一例を示す概略図である。
【図７】孔版印刷装置と電子ペーパーの制御に関する流れ図である。
【図８】孔版印刷装置と電子ペーパーのデータの流れを説明するための図である。
【図９】第２の実施形態に係る画像形成システムの構成を示すブロック図である。
【図１０】第２の実施形態に係る電子ペーパーの構成の一例を示す概略図である。
【図１１】第２の実施形態に係る孔版印刷装置と電子ペーパーの制御に関する流れ図である。
【図１２】第２の実施形態に係る孔版印刷装置と電子ペーパーのデータの流れを説明するための図である。
【図１３】第３の実施形態に係る画像形成システムの構成を示すブロック図である。
【図１４】第３の実施形態に係るデジタルスチルカメラと電子ペーパーの制御に関する流れ図である。
【図１５】第３の実施形態に係る孔版印刷装置と電子ペーパーとデジタルスチルカメラのデータの流れを説明するための図である。
【図１６】第４の実施形態に係る画像形成システムの構成を示すブロック図である。
【図１７】第４の実施形態に係る孔版印刷装置と電子ペーパーの制御に関する流れ図である。
【図１８】第４の実施形態に係る孔版印刷装置と電子ペーパーのデータの流れを説明するための図である。
【図１９】第４の実施形態に係る画像形成システムの動作時に、孔版印刷装置のタッチパネルに表示される画面の一例を示す図である。
【符号の説明】
【００４５】
２  プロファイル情報提供手段
３  プロファイル情報取得手段
４  フォーマット変換手段
５  フォーマット逆変換手段
６Ａ、６Ｂ  通信手段
１０  仮想書き込み手段
２０Ａ、２０Ｂ、２０  制御手段
１００  画像形成装置としての孔版印刷装置
４００  画像表示装置としての電子ペーパー
５００  画像取り込み装置としてのデジタルスチルカメラ
【図１】
2010117595.tif 000003
【図２】
2010117595.tif 000004
【図３】
2010117595.tif 000005
【図４】
2010117595.tif 000006
【図５】
2010117595.tif 000007
【図６】
2010117595.tif 000008
【図７】
2010117595.tif 000009
【図８】
2010117595.tif 000010
【図９】
2010117595.tif 000011
【図１０】
2010117595.tif 000012
【図１１】
2010117595.tif 000013
【図１２】
2010117595.tif 000014
【図１３】
2010117595.tif 000015
【図１４】
2010117595.tif 000016
【図１５】
2010117595.tif 000017
【図１６】
2010117595.tif 000018
【図１７】
2010117595.tif 000019
【図１８】
2010117595.tif 000020
【図１９】
2010117595.tif 000021